(57)【要約】【課題】変位取得装置が、より簡単な構成で鉄道車両走行時における橋梁の応答変位を取得できるようにする。【解決手段】変位取得装置が、鉄道車両の通過に伴う橋梁の桁の変位の時系列のうち前記鉄道車両の運動に依存しない成分である静的成分の時系列を記憶する静的成分記憶部と、測定対象の鉄道車両の通過に伴う測定対象の橋梁の桁の加速度測定値または速度測定値の少なくともいずれかに基づいて当該桁の変位の時系列を検出する変位検出部と、前記変位検出部が検出した変位の時系列から、誤差を含み得る静的成分を除いた残りの成分である動的成分の時系列を抽出する動的成分抽出部と、前記静的成分記憶部から前記静的成分の時系列を取得する静的成分取得部と、前記動的成分抽出部が抽出した前記動的成分の時系列と、前記静的成分取得部が取得した前記静的成分の時系列とを合成する合成部と、を具備する。【選択図】図１
2015140537.tif 000002
【特許請求の範囲】
【請求項１】
鉄道車両の通過に伴う橋梁の桁の変位の時系列のうち前記鉄道車両の運動に依存しない成分である静的成分の時系列を記憶する静的成分記憶部と、
測定対象の鉄道車両の通過に伴う測定対象の橋梁の桁の加速度測定値または速度測定値の少なくともいずれかに基づいて当該桁の変位の時系列を検出する変位検出部と、
前記変位検出部が検出した変位の時系列から、誤差を含み得る静的成分を除いた残りの成分の時系列を抽出する動的成分抽出部と、
前記静的成分記憶部から前記静的成分の時系列を取得する静的成分取得部と、
前記動的成分抽出部が抽出した前記成分の時系列と、前記静的成分取得部が取得した前記静的成分の時系列とを合成する合成部と、
を具備する変位取得装置。
【請求項２】
前記静的成分記憶部は、鉄道車両の分類毎、かつ、橋梁の分類毎に、前記静的成分の時系列を記憶し、
前記静的成分取得部は、前記測定対象の鉄道車両の分類、および、前記測定対象の橋梁の分類に該当する静的成分の時系列を前記静的成分記憶部から取得する、
請求項１に記載の変位取得装置。
【請求項３】
前記静的成分取得部は、前記測定対象の橋梁の桁の一次固有振動数と、前記測定対象の橋梁の橋脚の間隔と、前記測定対象の橋梁および被支持物の重量とに基づいて、前記測定対象の橋梁の桁の曲げ剛性を求め、得られた曲げ剛性に該当する静的成分を前記静的成分記憶部から取得する、請求項１または請求項２に記載の変位取得装置。
【請求項４】
前記動的成分抽出部は、前記誤差を含み得る静的成分を除いた残りの成分の時系列として、前記変位検出部が検出した変位の時系列から、１より小さい所定の係数を前記測定対象の橋梁の桁の一次固有振動数に乗算した周波数以上の周波数成分を取得する、請求項１から３のいずれか一項に記載の変位取得装置。
【請求項５】
鉄道車両の通過に伴う橋梁の桁の変位の時系列のうち前記鉄道車両の運動に依存しない成分である静的成分の時系列を記憶する静的成分記憶部を具備する変位取得装置が、
測定対象の鉄道車両の通過に伴う測定対象の橋梁の桁の加速度測定値または速度測定値の少なくともいずれかに基づいて当該桁の変位の時系列を検出する変位検出ステップと、
前記変位検出ステップにて検出した変位の時系列から、誤差を含み得る静的成分を除いた残りの成分の時系列を抽出する動的成分抽出ステップと、
前記静的成分記憶部から前記静的成分の時系列を取得する静的成分取得ステップと、
前記動的成分抽出ステップにて抽出した前記成分の時系列と、前記静的成分取得ステップにて取得した前記静的成分の時系列とを合成する合成ステップと、
を有する変位取得方法。
【請求項６】
鉄道車両の通過に伴う橋梁の桁の変位の時系列のうち前記鉄道車両の運動に依存しない成分である静的成分の時系列を記憶する静的成分記憶部を具備する変位取得装置を制御するコンピュータに、
測定対象の鉄道車両の通過に伴う測定対象の橋梁の桁の加速度測定値または速度測定値の少なくともいずれかに基づいて当該桁の変位の時系列を検出する変位検出ステップと、
前記変位検出ステップにて検出した変位の時系列から、誤差を含み得る静的成分を除いた残りの成分の時系列を抽出する動的成分抽出ステップと、
前記静的成分記憶部から前記静的成分の時系列を取得する静的成分取得ステップと、
前記動的成分抽出ステップにて抽出した前記成分の時系列と、前記静的成分取得ステップにて取得した前記静的成分の時系列とを合成する合成ステップと、
を実行させるためのプログラム。
【発明の詳細な説明】
【技術分野】
【０００１】
本発明は、変位取得装置、変位取得方法およびプログラムに関する。
【背景技術】
【０００２】
鉄道の橋梁において、高速列車走行時に共振現象が発生して応答が増幅する可能性がある。このため、橋梁の設計や維持管理において、動的な応答の管理が重要である。特に、ＰＲＣ（Prestressed Reinforced Concrete、プレストレスト・コンクリート）技術により桁の低剛性化が可能になったことや列車の高速化に伴い、橋梁の動的な応答は増加傾向にあると考えられ、管理の重要性がさらに高まっている。
橋梁の動的な応答として、具体的には、橋梁のたわみを測定し管理することが考えられる。例えば、橋梁のたわみ測定を行って測定結果に基づく衝撃係数と設計に基づく衝撃係数とを比較することで、橋梁の安全性を評価する方法がある。
【０００３】
橋梁のたわみの測定に関連して、特許文献１に記載の変位測定方法は、観測対象である橋桁ないし床版の側面をデジタルビデオカメラにより撮影する工程と、前記撮影で得た映像から所定時間毎の静止画像を抽出し、該静止画像中に画像が含まれている部材がＨ型鋼であり、鉛直方向の寸法が判明している所定箇所であるフランジに関し、各静止画像においてフランジを含む所定範囲の画像について二値化処理を行う工程と、二値化処理された前記所定範囲の画像においてフランジ端部を特定し、フランジ端部の各静止画像間での画素数単位の変位と前記判明している寸法とに基づいてフランジの変位量を算定する工程とで構成する。
特許文献１では、これにより、橋桁に関する精度良好な変位観測を簡便かつ低コストで行う、とされている。
【先行技術文献】
【特許文献】
【０００４】
【特許文献１】特開２０１３−７６２４号公報
【発明の概要】
【発明が解決しようとする課題】
【０００５】
特許文献１に記載の変位測定方法のように、画像処理にて橋梁の変位を測定する方法では、比較的高解像度な撮像装置、および、画像処理エンジン（例えば画像マッチングシステム）が必要となり、装置構成が複雑になってしまう。
また、特許文献１に記載の変位測定方法では、鉛直方向の寸法が判明している箇所（Ｈ型鋼）を、鉛直方向の寸法がわかるようにほぼ水平方向から、かつ、当該箇所を画像認識可能に撮像する必要がある。このため、適用可能な橋梁や、デジタルビデオカメラの設置位置が限定される。
【０００６】
本発明は、より簡単な構成で鉄道車両走行時における橋梁の応答変位を取得可能な変位取得装置、変位取得方法およびプログラムを提供する。
【課題を解決するための手段】
【０００７】
本発明の一態様による変位取得装置は、鉄道車両の通過に伴う橋梁の桁の変位の時系列のうち前記鉄道車両の運動に依存しない成分である静的成分の時系列を記憶する静的成分記憶部と、測定対象の鉄道車両の通過に伴う測定対象の橋梁の桁の加速度測定値または速度測定値の少なくともいずれかに基づいて当該桁の変位の時系列を検出する変位検出部と、前記変位検出部が検出した変位の時系列から、誤差を含み得る静的成分を除いた残りの成分の時系列を抽出する動的成分抽出部と、前記静的成分記憶部から前記静的成分の時系列を取得する静的成分取得部と、前記動的成分抽出部が抽出した前記成分の時系列と、前記静的成分取得部が取得した前記静的成分の時系列とを合成する合成部と、を具備する。
【０００８】
前記静的成分記憶部は、鉄道車両の分類毎、かつ、橋梁の分類毎に、前記静的成分の時系列を記憶し、前記静的成分取得部は、前記測定対象の鉄道車両の分類、および、前記測定対象の橋梁の分類に該当する静的成分の時系列を前記静的成分記憶部から取得するようにしてもよい。
【０００９】
前記静的成分取得部は、前記測定対象の橋梁の桁の一次固有振動数と、前記測定対象の橋梁の橋脚の間隔と、前記測定対象の橋梁および被支持物の重量とに基づいて、前記測定対象の橋梁の桁の曲げ剛性を求め、得られた曲げ剛性に該当する静的成分を前記静的成分記憶部から取得するようにしてもよい。
【００１０】
前記動的成分抽出部は、前記誤差を含み得る静的成分を除いた残りの成分の時系列として、前記変位検出部が検出した変位の時系列から、１より小さい所定の係数を前記測定対象の橋梁の桁の一次固有振動数に乗算した周波数以上の周波数成分を取得するようにしてもよい。
【００１１】
本発明の他の一態様による変位取得方法は、鉄道車両の通過に伴う橋梁の桁の変位の時系列のうち前記鉄道車両の運動に依存しない成分である静的成分の時系列を記憶する静的成分記憶部を具備する変位取得装置が、測定対象の鉄道車両の通過に伴う測定対象の橋梁の桁の加速度測定値または速度測定値の少なくともいずれかに基づいて当該桁の変位の時系列を検出する変位検出ステップと、前記変位検出ステップにて検出した変位の時系列から、誤差を含み得る静的成分を除いた残りの成分の時系列を抽出する動的成分抽出ステップと、前記静的成分記憶部から前記静的成分の時系列を取得する静的成分取得ステップと、前記動的成分抽出ステップにて抽出した前記成分の時系列と、前記静的成分取得ステップにて取得した前記静的成分の時系列とを合成する合成ステップと、を有する。
【００１２】
本発明の他の一態様によるプログラムは、鉄道車両の通過に伴う橋梁の桁の変位の時系列のうち前記鉄道車両の運動に依存しない成分である静的成分の時系列を記憶する静的成分記憶部を具備する変位取得装置を制御するコンピュータに、測定対象の鉄道車両の通過に伴う測定対象の橋梁の桁の加速度測定値または速度測定値の少なくともいずれかに基づいて当該桁の変位の時系列を検出する変位検出ステップと、前記変位検出ステップにて検出した変位の時系列から、誤差を含み得る静的成分を除いた残りの成分の時系列を抽出する動的成分抽出ステップと、前記静的成分記憶部から前記静的成分の時系列を取得する静的成分取得ステップと、前記動的成分抽出ステップにて抽出した前記成分の時系列と、前記静的成分取得ステップにて取得した前記静的成分の時系列とを合成する合成ステップと、を実行させるためのプログラムである。
【発明の効果】
【００１３】
本発明によれば、より簡単な構成で鉄道車両走行時における橋梁の応答変位を取得することができる。
【図面の簡単な説明】
【００１４】
【図１】本発明の一実施形態における変位取得システムの機能構成を示す概略ブロック図である。
【図２】同実施形態における加速度センサの設置位置の例を示す説明図である。
【図３】同実施形態において、変位検出部が算出する桁の変位の時系列の例を示すグラフである。
【図４】同実施形態において、図３に示される変位に含まれる静的成分の例を示す。
【図５】同実施形態における桁の変位の動的成分の時系列の例を示すグラフである。
【図６】同実施形態において、列車速度が比較的遅く、かつ、橋脚の間隔が輪軸の間隔よりも短い場合の、桁の変位の周波数成分の例を示すグラフである。
【図７】同実施形態において、列車速度が比較的遅く、かつ、橋脚の間隔と輪軸の間隔とが同等である場合の、桁の変位の周波数成分の例を示すグラフである。
【図８】同実施形態において、列車速度が比較的遅く、かつ、橋脚の間隔が輪軸の間隔よりも長い場合の、桁の変位の周波数成分の例を示すグラフである。
【図９】同実施形態において、列車速度が中間的で、かつ、橋脚の間隔が輪軸の間隔よりも短い場合の、桁の変位の周波数成分の例を示すグラフである。
【図１０】同実施形態において、列車速度が中間的で、かつ、橋脚の間隔と輪軸の間隔とが同等である場合の、桁の変位の周波数成分の例を示すグラフである。
【図１１】同実施形態において、列車速度が中間的で、かつ、橋脚の間隔が輪軸の間隔よりも長い場合の、桁の変位の周波数成分の例を示すグラフである。
【図１２】同実施形態において、列車速度が比較的速く、かつ、橋脚の間隔が輪軸の間隔よりも短い場合の、桁の変位の周波数成分の例を示すグラフである。
【図１３】同実施形態において、列車速度が比較的速く、かつ、橋脚の間隔と輪軸の間隔とが同等である場合の、桁の変位の周波数成分の例を示すグラフである。
【図１４】同実施形態において、列車速度が比較的速く、かつ、橋脚の間隔が輪軸の間隔よりも長い場合の、桁の変位の周波数成分の例を示すグラフである。
【図１５】同実施形態において、静的成分取得部が静的成分記憶部から取得する静的成分の時系列の例を示す説明図である。
【図１６】同実施形態において、合成部が動的成分と静的成分とを合成して得られる桁の変位の時系列の例を示す説明図である。
【図１７】同実施形態において、変位取得装置が桁の変位を取得する処理手順の例を示すフローチャートである。
【発明を実施するための形態】
【００１５】
以下、本発明の実施形態を説明するが、以下の実施形態は請求の範囲にかかる発明を限定するものではない。また、実施形態の中で説明されている特徴の組み合わせの全てが発明の解決手段に必須であるとは限らない。
図１は、本発明の一実施形態における変位取得システムの機能構成を示す概略ブロック図である。同図において、変位取得システム１は、変位取得装置１００と、加速度センサ２００とを具備する。変位取得装置１００は、センサデータ取得部１１０と、操作入力部１２０と、結果出力部１３０と、記憶部１８０と、制御部１９０とを具備する。記憶部１８０は、静的成分記憶部１８１を具備する。制御部１９０は、変位検出部１９１と、動的成分抽出部１９２と、静的成分取得部１９３と、合成部１９４とを具備する。
【００１６】
変位取得システム１は、鉄道車両走行時における橋梁の応答変位を取得する。ここでいう鉄道車両は、列車であってもよいし１両編成の車両であってもよい。また、ここでいう橋梁は、水面上に架け渡されていてもよいし、地上に架け渡されていてもよい（いわゆる高架構造物であってもよい）。
【００１７】
加速度センサ２００は、例えば橋梁の桁に設置され、当該桁の加速度を測定して、得られた加速度（測定値）を変位取得装置１００へ送信する。
図２は、加速度センサ２００の設置位置の例を示す説明図である。同図において、加速度センサ２００は桁の橋脚と橋脚との真ん中に設置されて、設置位置における加速度を測定する。特に、加速度センサ２００は、床版の上に敷設されたレールを鉄道車両が走行する際の桁の加速度を測定する。
【００１８】
但し、加速度センサ２００として、加速度センサに代えて、あるいは加えて、速度センサを用いるようにしてもよい。また、加速度センサ２００の設置位置は、桁の加速度または速度を測定可能な位置であればよい。例えば、床版が桁と一体的に変位する場合、加速度センサ２００が床版に設置されていてもよい。
【００１９】
変位取得装置１００は、加速度センサ２００の測定する加速度を用いて、鉄道車両走行時における橋梁の応答変位を取得する。変位取得装置１００は、例えば、コンピュータがプログラムを実行することで実現される。
センサデータ取得部１１０は、加速度センサ２００の測定値を取得する。センサデータ取得部１１０は、例えば、変位取得装置１００の具備する通信回路を含んで構成される。
【００２０】
記憶部１８０は、変位取得装置１００の具備する記憶デバイスを用いて構成され、各種データを記憶する。
静的成分記憶部１８１は、橋梁の桁の変位の静的成分の時系列を予め（変位取得装置１００による応答変位取得処理の開始前に）記憶している。ここでいう桁の変位の静的成分は、鉄道車両の運動に依存しない成分、すなわち、鉄道車両がその位置に静止している場合の変位を示す成分である。また、以下では、桁の変位から静的成分を除いた残りを動的成分と称する。
【００２１】
静的成分記憶部１８１が記憶する静的成分は、変位検出部１９１が検出する変位における、誤差を含む静的成分と置き換えられる。かかる置き換えを可能にするために、静的成分記憶部１８１は、複数の静的成分の時系列を、鉄道車両の分類毎、かつ、橋梁の分類毎に予め記憶している。
具体的には、静的成分記憶部１８１は、鉄道車両の分類として、車両の軸重および輪軸の配置毎、かつ、車両の数（何両編成か）毎に、かつ、橋梁の分類として、桁の曲げ剛性毎、橋脚の間隔毎、かつ、橋梁および被支持物の重量毎に、静的成分の時系列を記憶している。
【００２２】
ここでいう車両の軸重は、各輪軸においてレールにかかる重量（いわば、各輪軸が分担する車両の重量）である。また、ここでいう輪軸の配置は、台車の間隔や１つの台車における輪軸の間隔である。また、ここでいう橋梁および被支持物の重量とは、橋梁そのものの重量と、被支持物の重量との合計である。被支持物とは、例えば、バラストや電柱など、橋梁に積載されているものである。また、桁の変位の静的成分は、計算にて求めることができる。
上記の分類により、静的成分記憶部１８１では、車両の軸重および輪軸の配置と、車両の数と、桁の曲げ剛性と、橋脚の間隔と、橋梁および被積載物の重量とを検索キーとして、該当する静的成分の時系列を検出することができる。
【００２３】
さらに、静的成分記憶部１８１は、車両の軸重および輪軸の配置と車両のタイプとを対応付けて記憶している。例えば、静的成分記憶部１８１は、機関車（貨物列車および牽引する機関車）、在来線、新幹線の区別、さらには、新幹線における２５メートル車両（長さ約２５メートルの車両）と２０メートル車両（長さ約２０メートルの車両）との区別など、より詳細な区別毎に、軸重や輪軸の配置を記憶している。
従って、静的成分記憶部１８１では、車両のタイプと、車両の数と、桁の曲げ剛性と、橋脚の間隔と、橋梁および被積載物の重量とを検索キーとして、該当する静的成分の時系列を検出することができる。
【００２４】
なお、静的成分記憶部１８１が静的成分の時系列を記憶する分類の詳細度は様々に設定可能である。例えば、アナログの値を取る車両の軸重や輪軸の配置や桁の曲げ剛性や橋脚の間隔について、刻み幅を細かくしてもよいし粗くしてもよい。分類を詳細にすることで、変位取得装置１００が、橋脚の桁の応答変位をより高精度に求め得る。一方、分類を粗くすることで、静的成分記憶部１８１の記憶量が少なくて済む。
【００２５】
制御部１９０は、変位取得装置１００の各部を制御して各種機能を実現する。制御部１９０は、例えば、変位取得装置１００の具備するＣＰＵ（Central Processing Unit、中央処理装置）が、記憶部１８０からプログラムを読み出して実行することで実現される。
変位検出部１９１は、測定対象の鉄道車両の通過に伴う測定対象の橋梁の桁の加速度測定値または速度測定値の少なくともいずれかに基づいて桁の変位の時系列を検出する。
ここでいう測定対象の鉄道車両、測定対象の橋梁の桁は、それぞれ、変位取得装置１００が桁の変位を測定する対象となる鉄道車両、橋梁の桁である。すなわち、変位取得装置１００は、測定対象の鉄道車両が、測定対象の橋梁の桁を通過する際の、当該桁の応答変位を測定する。
【００２６】
変位検出部１９１は、より具体的には、加速度センサ２００の測定する加速度を２階積分することで、桁の変位を算出する。あるいは、加速度センサ２００が桁の速度を測定する場合、変位検出部１９１は、当該速度を１階積分することで、桁の変位を算出する。
変位検出部１９１は、当該桁の変位の算出をサンプリング時間の各々について行うことで、桁の変位の時系列を取得する。
【００２７】
動的成分抽出部１９２は、変位検出部１９１が検出した変位の時系列に含まれる動的成分の時系列として、当該時系列から、誤差を含み得る静的成分を除いた残りの成分の時系列を抽出する。より具体的には、動的成分抽出部１９２は、誤差を含み得る静的成分を除いた残りの成分の時系列として（従って、動的成分の時系列として）、変位検出部１９１が検出した変位の時系列から、１より小さい所定の係数を測定対象の橋梁の桁の一次固有振動数に乗算した周波数以上の周波数成分を取得する。
ここで、動的成分抽出部１９２が行う動的成分の時系列の抽出について、図３〜図１４を参照して説明する。
【００２８】
図３は、変位検出部１９１が算出する桁の変位の時系列の例を示すグラフである。同図の横軸は時間（所定の基準時からの経過時間）を示し、縦軸は桁の変位を示す。変位検出部１９１が算出する桁の変位は、静的成分と動的成分とを含んでいる。
また、加速度センサ２００の測定値に誤差が含まれている場合、変位検出部１９１が行う積分によって当該誤差が蓄積され得る。図３の場合、誤差の蓄積により時間経過とともに変位が上方（値が正の側）へ推移し、その後、下方（値が負の側）へ推移している。
【００２９】
図４は、桁の変位の静的成分の時系列の例を示すグラフである。図３の場合と同様、図４の横軸は時間を示し、縦軸は桁の変位を示す。図４は、図３に示される変位に含まれる静的成分の例を示す。
ここで、図４に示す静的成分の時系列には誤差が含まれている。以下に説明するように、桁の変位を所定の周波数で区切って静的成分または動的成分を分離する場合、加速度センサ２００の測定値の誤差が変位検出部１９１の積分にて蓄積された誤差は周波数変動が比較的小さいため、低周波数側である静的成分に含まれることが考えられる。
【００３０】
図５は、桁の変位の動的成分の時系列の例を示すグラフである。図３の場合と同様、図５の横軸は時間を示し、縦軸は桁の変位を示す。図５は、図３に示される変位の時系列から、動的成分抽出部１９２が抽出する動的成分の例を示す。
図４の静的成分と図５の動的成分とを重ね合わせる（足し合わせる）と、図３の変位を得られる。
【００３１】
図６は、列車速度が比較的遅く、かつ、橋脚の間隔が輪軸の間隔よりも短い（狭い）場合の、桁の変位の周波数成分の例を示すグラフである。具体的には、同図は、列車速度が時速１００キロメートル（ｋｍ／時）、輪軸の間隔が１５メートル（ｍ）であり、橋脚の間隔が５メートルである場合の例を示す。
同図の横軸は周波数を示し、縦軸は変位の大きさを示す。
【００３２】
線Ｌ１１１は、桁の変位の周波数成分を示す。線Ｌ１１２は、桁の変位の静的成分の周波数成分を示す。従って、線Ｌ１１１と線Ｌ１１２とが一致している場合は、桁の変位が静的成分で占められている。一方、線Ｌ１１１と線Ｌ１１２とが不一致の場合は、桁の変位の動的成分が含まれている。
また、周波数Ｆ１１は、桁の一次固有振動数を示す。
図６の例において、周波数の低い領域では桁の変位と静的成分とがほぼ一致している。一方、周波数Ｆ１１付近以上の領域において、動的成分が見受けられる。
【００３３】
図７は、列車速度が比較的遅く、かつ、橋脚の間隔と輪軸の間隔とが同等である場合の、桁の変位の周波数成分の例を示すグラフである。具体的には、同図は、列車速度が時速１００キロメートル、輪軸の間隔が１５メートルであり、橋脚の間隔も１５メートルである場合の例を示す。
同図の横軸は周波数を示し、縦軸は変位の大きさを示す。
【００３４】
線Ｌ１２１は、桁の変位の周波数成分を示す。線Ｌ１２２は、桁の変位の静的成分の周波数成分を示す。従って、線Ｌ１２１と線Ｌ１２２とが一致している場合は、桁の変位が静的成分で占められている。一方、線Ｌ１２１と線Ｌ１２２とが不一致の場合は、桁の変位の動的成分が含まれている。
また、周波数Ｆ１２は、桁の一次固有振動数を示す。
図７の例において、周波数の低い領域では桁の変位と静的成分とがほぼ一致している。一方、周波数Ｆ１２付近において、動的成分が見受けられる。
【００３５】
図８は、列車速度が比較的遅く、かつ、橋脚の間隔が輪軸の間隔よりも長い（広い）場合の、桁の変位の周波数成分の例を示すグラフである。具体的には、同図は、列車速度が時速１００キロメートル、輪軸の間隔が１５メートルであり、橋脚の間隔が３０メートルである場合の例を示す。
同図の横軸は周波数を示し、縦軸は変位の大きさを示す。
【００３６】
線Ｌ１３１は、桁の変位の周波数成分を示す。線Ｌ１３２は、桁の変位の静的成分の周波数成分を示す。従って、線Ｌ１３１と線Ｌ１３２とが一致している場合は、桁の変位が静的成分で占められている。一方、線Ｌ１３１と線Ｌ１３２とが不一致の場合は、桁の変位の動的成分が含まれている。
また、周波数Ｆ１３は、桁の一次固有振動数を示す。
図８の例において、周波数の低い領域では桁の変位と静的成分とがほぼ一致している。一方、周波数Ｆ１３付近において、動的成分が見受けられる。
【００３７】
図９は、列車速度が中間的で、かつ、橋脚の間隔が輪軸の間隔よりも短い場合の、桁の変位の周波数成分の例を示すグラフである。具体的には、同図は、列車速度が時速３００キロメートル、輪軸の間隔が１５メートルであり、橋脚の間隔が５メートルである場合の例を示す。
同図の横軸は周波数を示し、縦軸は変位の大きさを示す。
【００３８】
線Ｌ２１１は、桁の変位の周波数成分を示す。線Ｌ２１２は、桁の変位の静的成分の周波数成分を示す。従って、線Ｌ２１１と線Ｌ２１２とが一致している場合は、桁の変位が静的成分で占められている。一方、線Ｌ２１１と線Ｌ２１２とが不一致の場合は、桁の変位の動的成分が含まれている。
また、周波数Ｆ２１は、桁の一次固有振動数を示す。
図９の例において、周波数の低い領域では桁の変位と静的成分とがほぼ一致している。一方、周波数Ｌ２１付近以上の領域において、動的成分が見受けられる。
【００３９】
図１０は、列車速度が中間的で、かつ、橋脚の間隔と輪軸の間隔とが同等である場合の、桁の変位の周波数成分の例を示すグラフである。具体的には、同図は、列車速度が時速３００キロメートル、輪軸の間隔が１５メートルであり、橋脚の間隔も１５メートルである場合の例を示す。
同図の横軸は周波数を示し、縦軸は変位の大きさを示す。
【００４０】
線Ｌ２２１は、桁の変位の周波数成分を示す。線Ｌ２２２は、桁の変位の静的成分の周波数成分を示す。従って、線Ｌ２２１と線Ｌ２２２とが一致している場合は、桁の変位が静的成分で占められている。一方、線Ｌ２２１と線Ｌ２２２とが不一致の場合は、桁の変位の動的成分が含まれている。
また、周波数Ｌ２２は、桁の一次固有振動数を示す。
図１０の例において、周波数の低い領域では桁の変位と静的成分とがほぼ一致している。一方、周波数Ｌ２２よりやや小さい周波数以上の領域において、動的成分が見受けられる。
【００４１】
図１１は、列車速度が中間的で、かつ、橋脚の間隔が輪軸の間隔よりも長い場合の、桁の変位の周波数成分の例を示すグラフである。具体的には、同図は、列車速度が時速３００キロメートル、輪軸の間隔が１５メートルであり、橋脚の間隔が３０メートルである場合の例を示す。
同図の横軸は周波数を示し、縦軸は変位の大きさを示す。
【００４２】
線Ｌ２３１は、桁の変位の周波数成分を示す。線Ｌ２３２は、桁の変位の静的成分の周波数成分を示す。従って、線Ｌ２３１と線Ｌ２３２とが一致している場合は、桁の変位が静的成分で占められている。一方、線Ｌ２３１と線Ｌ２３２とが不一致の場合は、桁の変位の動的成分が含まれている。
また、周波数Ｌ２３は、桁の一次固有振動数を示す。
図１１の例において、周波数の低い領域では桁の変位と静的成分とがほぼ一致している。一方、周波数Ｌ２３よりやや小さい周波数以上の領域において、動的成分が見受けられる。
【００４３】
図１２は、列車速度が比較的速く、かつ、橋脚の間隔が輪軸の間隔よりも短い場合の、桁の変位の周波数成分の例を示すグラフである。具体的には、同図は、列車速度が時速５００キロメートル、輪軸の間隔が１５メートルであり、橋脚の間隔が５メートルである場合の例を示す。
同図の横軸は周波数を示し、縦軸は変位の大きさを示す。
【００４４】
線Ｌ３１１は、桁の変位の周波数成分を示す。線Ｌ３１２は、桁の変位の静的成分の周波数成分を示す。従って、線Ｌ３１１と線Ｌ３１２とが一致している場合は、桁の変位が静的成分で占められている。一方、線Ｌ３１１と線Ｌ３１２とが不一致の場合は、桁の変位の動的成分が含まれている。
また、周波数Ｆ３１は、桁の一次固有振動数を示す。
図１２の例において、周波数の低い領域では桁の変位と静的成分とがほぼ一致している。一方、周波数Ｌ３１よりやや小さい周波数以上の領域において、動的成分が見受けられる。
【００４５】
図１３は、列車速度が比較的速く、かつ、橋脚の間隔と輪軸の間隔とが同等である場合の、桁の変位の周波数成分の例を示すグラフである。具体的には、同図は、列車速度が時速５００キロメートル、輪軸の間隔が１５メートルであり、橋脚の間隔も１５メートルである場合の例を示す。
同図の横軸は周波数を示し、縦軸は変位の大きさを示す。
【００４６】
線Ｌ３２１は、桁の変位の周波数成分を示す。線Ｌ３２２は、桁の変位の静的成分の周波数成分を示す。従って、線Ｌ３２１と線Ｌ３２２とが一致している場合は、桁の変位が静的成分で占められている。一方、線Ｌ３２１と線Ｌ３２２とが不一致の場合は、桁の変位の動的成分が含まれている。
また、周波数Ｆ３２は、桁の一次固有振動数を示す。
図１３の例において、周波数の低い領域では桁の変位と静的成分とがほぼ一致している。一方、周波数Ｆ３２付近において、動的成分が見受けられる。
【００４７】
図１４は、列車速度が比較的速く、かつ、橋脚の間隔が輪軸の間隔よりも長い場合の、桁の変位の周波数成分の例を示すグラフである。具体的には、同図は、列車速度が時速５００キロメートル、輪軸の間隔が１５メートルであり、橋脚の間隔が３０メートルである場合の例を示す。
同図の横軸は周波数を示し、縦軸は変位の大きさを示す。
【００４８】
線Ｌ３３１は、桁の変位の周波数成分を示す。線Ｌ３３２は、桁の変位の静的成分の周波数成分を示す。従って、線Ｌ３３１と線Ｌ３３２とが一致している場合は、桁の変位が静的成分で占められている。一方、線Ｌ３３１と線Ｌ３３２とが不一致の場合は、桁の変位の動的成分が含まれている。
また、周波数Ｆ３３は、桁の一次固有振動数を示す。
図１４の例において、周波数の低い領域では桁の変位と静的成分とがほぼ一致している。一方、周波数Ｆ３３付近において、動的成分が見受けられる。
【００４９】
以上のように、周波数の比較的低い領域では静的成分が出現し、周波数の比較的高い領域では動的成分が出現する。
そこで、動的成分抽出部１９２は、桁の変位の時系列に周波数フィルタを適用して、動的成分を抽出する。例えば、動的成分抽出部１９２は、桁の変位の時系列にハイパスフィルタを適用して、所定周波数以上の成分を動的成分として抽出する。
【００５０】
あるいは、動的成分抽出部１９２が、桁の変位の時系列から静的成分の時系列を抽出し、桁の変位から静的成分を減算することで動的成分の時系列を取得するようにしてもよい。この場合、動的成分抽出部１９２は、桁の変位の時系列にローパスフィルタを適用して、所定周波数未満の成分を静的成分として抽出する。
なお、動的成分抽出部１９２が用いるフィルタはハイパスフィルタやローパスフィルタに限らない。例えば、動的成分抽出部１９２が、バンドパスフィルタまたはローパスフィルタを用いるようにしてもよい。
【００５１】
ここで、図１３の例など一次固有振動数よりも小さい周波数の領域で動的成分が出現する場合がある。従って、所定周波数を桁の一次固有振動数としたのでは、動的成分と静的成分との分離が不充分になってしまう。
そこで、動的成分抽出部１９２は、桁の一次固有振動数に１より小さい所定の係数を乗算した周波数を閾値として、動的成分の抽出を行う。例えば、動的成分抽出部１９２は、桁の一次固有振動数の０．８倍の周波数を閾値として、動的成分の抽出を行う。
【００５２】
例えば、動的成分抽出部１９２は、桁の変位の時系列から、一次固有振動数の０．８倍以上の成分を動的成分として抽出する。あるいは、動的成分抽出部１９２は、一次固有振動数の０．８倍未満の成分を静的成分として抽出し、桁の変位から静的成分を減算することで動的成分を取得する。
【００５３】
静的成分取得部１９３は、静的成分記憶部１８１から静的成分の時系列を取得する。より具体的には、静的成分取得部１９３は、測定対象の鉄道車両の分類、および、測定対象の橋梁の分類に該当する静的成分の時系列を静的成分記憶部１８１から取得する。さらに具体的には、静的成分取得部１９３は、上述した静的成分記憶部１８１における分類に応じて、車両のタイプと、車両の数と、桁の曲げ剛性と、橋脚の間隔とを検索キーとして、該当する静的成分の時系列を静的成分記憶部１８１から取得する（読み出す）。
【００５４】
例えば、車両のタイプと、車両の数と、橋脚の間隔と、橋梁および被積載物の重量とについては、操作入力部１２０がユーザの入力操作を受け、入力された情報を静的成分取得部１９３が取得する。
車両のタイプや車両の数は、列車の運行計画から得られる。また、橋脚の間隔や、橋梁および被積載物の重量は、橋梁の設計図書から得られる。あるいは、設計図書からは橋梁または被積載物の重量が不明の場合は、同様の橋梁における橋梁自体の重量や被積載物の重量で近似してもよい。
【００５５】
一方、桁の曲げ剛性については、橋梁をより安全側に施工する等の理由から、設計データから得られる値と大きく異なる場合がある。設計図書からは桁の曲げ剛性を得られない場合、式（１）に基づいて桁の曲げ剛性ＥＩを求めることができる。
【００５６】
【数１】
2015140537.tif 000003
【００５７】
ここで、ｆ１は、橋梁の１次固有振動数を示す。Ｌｂは、橋脚の間隔を示す。ＥＩは、桁の曲げ剛性を示す。より具体的には、Ｅは、ヤング係数を示す。Ｉは、断面二次モーメントを示す。Ｄ１＋Ｄ２は、橋梁および被支持物の重量を示す。より具体的には、Ｄ１は、橋梁そのものの重量を示す。Ｄ２は、被支持物の重量を示す。また、πは、円周率を示す。ｇは、重力加速度を示す。
【００５８】
橋脚の間隔Ｌｂや、橋梁の重量Ｄ１や、被支持物の重量Ｄ２は、上記のように橋梁の設計図書から得られる。あるいは、類似の橋梁のデータから橋梁の重量Ｄ１や、被支持物の重量Ｄ２を得るようにしてもよい。また、橋梁の１次固有振動数ｆ１は、測定にて得られる。
【００５９】
式（１）に基づく桁の曲げ剛性ＥＩの算出を、ユーザが行うなど人手で行うようにしてもよいし、静的成分取得部１９３が行うようにしてもよい。例えば、操作入力部１２０が、橋脚の間隔Ｌｂと、橋梁の重量Ｄ１と、被支持物の重量Ｄ２と、橋梁の１次固有振動数ｆ１とについて、ユーザによる入力操作を受ける。そして、静的成分取得部１９３は、入力されたデータを取得して、式（１）に基づいて桁の曲げ剛性ＥＩを算出し、得られた曲げ剛性に該当する静的成分を静的成分記憶部１８１から取得する。
【００６０】
合成部１９４は、動的成分抽出部１９２が抽出した、変位から誤差を含み得る静的成分を除いた残りの成分の時系列と、静的成分取得部１９３が取得した静的成分の時系列とを合成する。
ここで、図５、図１５および図１６を参照して、合成部１９４が行う合成について説明する。図５は、上記のように、動的成分抽出部１９２が抽出する動的成分の時系列の例を示している。
【００６１】
図１５は、静的成分取得部１９３が静的成分記憶部１８１から取得する（読み出す）静的成分の時系列の例を示す説明図である。図１５は、図３の変位に対応して静的成分取得部１９３が静的成分記憶部１８１から取得する（読み出す）静的成分の例を示している。
図４の例と異なり、図１５に示される静的成分には、誤差（加速度センサ２００の測定誤差の積分による蓄積）が含まれていない。
【００６２】
図１６は、合成部１９４が動的成分と静的成分とを合成して得られる桁の変位の時系列の例を示す説明図である。図３の例と異なり、図１６に示す桁の変位の時系列には、誤差（加速度センサ２００の測定誤差の積分による蓄積）が含まれていない。合成部１９４は、図３の例のように、変位検出部１９１が検出する桁の変位のうち、誤差を含む静的成分を、静的成分記憶部１８１が記憶している誤差（加速度センサ２００の測定誤差の積分による蓄積）を含まない静的成分で置き換えることで、誤差を含まない変位の時系列を取得する。
【００６３】
結果出力部１３０は、合成部１９４が合成にて取得した桁の変位を出力する。例えば、結果出力部１３０は、液晶ディスプレイ等の表示画面を有し、合成にて得られた桁の変位をグラフ表示または数値にてデータ表示する。あるいは、結果出力部１３０が、合成にて得られた桁の変位のデータを他の機器へ送信するなど、表示以外の態様で出力するようにしてもよい。
【００６４】
次に、図１７を参照して、変位取得装置１００の動作について説明する。
図１７は、変位取得装置１００が桁の変位を取得する処理手順の例を示すフローチャートである。
図１７の処理において、センサデータ取得部１１０は、加速度センサ２００による桁の加速度の測定値の時系列を取得する（ステップＳ１０１）。
【００６５】
そして、変位検出部１９１は、センサデータ取得部１１０が取得した加速度測定値の時系列を２階積分して、橋梁の桁の変位の時系列を算出する（ステップＳ１０２）。
次に、動的成分抽出部１９２は、変位検出部１９１が算出した変位の時系列から動的成分の時系列を抽出する（ステップＳ１０３）。例えば、動的成分抽出部１９２は、変位の時系列にハイパスフィルタを適用して動的成分の時系列を算出する。
【００６６】
次に、静的成分取得部１９３は、静的成分記憶部１８１の記憶している静的成分の時系列のうち、測定対象の橋梁および測定対象の鉄道車両に応じた静的成分の時系列を取得する（ステップＳ１０４）。
そして、合成部１９４は、ステップＳ１０３で得られた動的成分の時系列と、ステップＳ１０４で得られた静的成分の時系列とを合成して（足し合わせて）、桁の変位を取得する（ステップＳ１０５）。
そして、結果出力部１３０は、合成部１９４が取得した桁の変位の時系列を出力する（ステップＳ１０６）。
その後、図１７の処理を終了する。
【００６７】
以上のように、静的成分記憶部１８１は、鉄道車両の通過に伴う橋梁の桁の変位の時系列のうち静的成分の時系列を記憶する。また、変位検出部１９１は、測定対象の鉄道車両の通過に伴う測定対象の橋梁の桁の加速度測定値または速度測定値の少なくともいずれかに基づいて当該桁の変位の時系列を検出する。そして、動的成分抽出部１９２は、変位検出部１９１が検出した変位の時系列から、誤差を含み得る静的成分を除いた残りの成分の時系列を抽出する。また、静的成分取得部１９３は、静的成分記憶部１８１から静的成分の時系列を取得する。そして、合成部１９４は、動的成分抽出部１９２が抽出した成分の時系列と、静的成分取得部１９３が取得した前記静的成分の時系列とを合成する。
【００６８】
これにより、変位取得装置１００は、橋梁の桁の加速度等から変位を取得することが出来る。特に、変位取得装置１００では、加速度センサ等の簡易なセンサを用いることができ、また、積分や周波数フィルタや加減算など比較的簡単な演算で補正後の変位を得られる。この点において、変位取得装置１００によれば、より簡単な構成で鉄道車両走行時における橋梁の応答変位を、より高精度に取得できる。
【００６９】
また、静的成分記憶部１８１は、鉄道車両の分類毎、かつ、橋梁の分類毎に、静的成分の時系列を記憶し、静的成分取得部１９３は、測定対象の鉄道車両の分類、および、測定対象の橋梁の分類に該当する静的成分の時系列を静的成分記憶部から取得する。
これにより、変位取得装置１００では、測定対象の鉄道車両や測定対象の橋梁に応じた静的成分の時系列を用いて、鉄道車両走行時における橋梁の応答変位を、より高精度に取得できる。
【００７０】
また、静的成分取得部１９３は、測定対象の橋梁の桁の一次固有振動数と、測定対象の橋梁の橋脚の間隔と、測定対象の橋梁および被支持物の重量とに基づいて、測定対象の橋梁の桁の曲げ剛性を求め、得られた曲げ剛性に該当する静的成分を静的成分記憶部から取得する。
これにより、変位取得装置１００では、測定対象の橋梁の桁の曲げ剛性が、設計図書から得られる値と異なる場合でも、より正確な曲げ剛性を取得して、鉄道車両走行時における橋梁の応答変位を、より高精度に取得できる。
【００７１】
また、動的成分抽出部１９２は、誤差を含み得る静的成分を除いた残りの成分の時系列として、変位検出部１９１が検出した変位の時系列から、１より小さい所定の係数（例えば０．８）を測定対象の橋梁の桁の一次固有振動数に乗算した周波数以上の周波数成分を取得する。
これにより、動的成分抽出部１９２は、例えばハイパスフィルタなど周波数フィルタを用いて容易に動的成分を取得することができる。
【００７２】
なお、制御部１９０の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであっても良い。
【００７３】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００７４】
１  変位取得システム
１００  変位取得装置
１１０  センサデータ取得部
１２０  操作入力部
１３０  結果出力部
１８０  記憶部
１８１  静的成分記憶部
１９０  制御部
１９１  変位検出部
１９２  動的成分抽出部
１９３  静的成分取得部
１９４  合成部
２００  加速度センサ
【図１】
2015140537.tif 000004
【図２】
2015140537.tif 000005
【図３】
2015140537.tif 000006
【図４】
2015140537.tif 000007
【図５】
2015140537.tif 000008
【図６】
2015140537.tif 000009
【図７】
2015140537.tif 000010
【図８】
2015140537.tif 000011
【図９】
2015140537.tif 000012
【図１０】
2015140537.tif 000013
【図１１】
2015140537.tif 000014
【図１２】
2015140537.tif 000015
【図１３】
2015140537.tif 000016
【図１４】
2015140537.tif 000017
【図１５】
2015140537.tif 000018
【図１６】
2015140537.tif 000019
【図１７】
2015140537.tif 000020